(57)【要約】【課題】展示立ての製造方法を提供する。【解決手段】まず、シートを提供し、該シートは背面を備え、該背面を上下に第１列区域、第２列区域および第３列区域と区分けし、そのうち、該第２列区域は上下対称であり、且つそのうち、該第１列区域および該第３列区域は、それぞれ第１幅および第２幅を有し、該第２幅は、該第１幅よりも大きい。続いて、接着体局部を該シートの該背面上に塗布し、該第２列区域を実質上該接着体で満たし、且つ該第１列区域および該第３列区域上は該接着体がないようにする。次に、該シートを切り、該シートを大きさが実質上同一な複数の紙片に区分けし、各紙片がいずれも第１列区域の一部、第２列区域の一部および第３列区域の一部を有する。続いて、各該紙片を２つ折りにし、上下対象な該第２列区域を上下相互に貼り合わせ、該接着体が露出しないようにする。【選択図】図１
2009005824.tif 000002
【特許請求の範囲】
【請求項１】
シートを提供し、該シートの背面を上下に第１列区域、第２列区域および第３列区域と区分けし、そのうち、該第２列区域は上下対称であり、且つそのうち、該第１列区域および該第３列区域は、それぞれ第１幅および第２幅を有し、該第２幅は、該第１幅よりも大きくしてなり、
接着体局部を該シートの該背面上に塗布し、該第２列区域を実質上該接着体で満たし、且つ該第１列区域および該第３列区域上は該接着体がないようにしてなり、
該シートを切り、該シートを大きさが実質上同一な複数の紙片に区分けし、各紙片がいずれも第１列区域の一部、第２列区域の一部および第３列区域の一部を有してなり、
各該紙片を２つ折りにし、上下対象な該第２列区域を上下相互に貼り合わせ、該接着体が露出しないようにする展示立ての製造方法。
【請求項２】
前記紙片の各部分の該第２列区域は、左上角、左下角、上縁および下縁を有し、且つそのうち、該第２列区域の該左上角および該左下角にそれぞれ該接着体を塗布しない第１ブロックおよび第２ブロックを設け、該上縁および該下縁にそれぞれ該接着体を塗布しない第３ブロックおよび第４ブロックを設け、且つ各該紙片を２つ折りした後、該第１ブロックは該第２ブロックに対応させ、該第３ブロックは該第４ブロックに対応させる請求項１記載の展示立ての製造方法。
【請求項３】
シートを提供し、該シートの背面を上下に第１列区域、第２列区域および第３列区域と区分けし、そのうち、該第１列区域および該第３列区域は、それぞれ第１幅および第２幅を有し、該第２幅は、該第１幅よりも大きくしてなり、
接着体局部を該シートの該背面上に塗布し、該第２列区域を実質上該接着体で満たし、且つ該第１列区域および該第３列区域上は該接着体がないようにしてなり、
該シートを切り、該シートを複数の紙片に区分けし、各紙片がいずれも第２列区域の一部を有してなり、
各該紙片を２つ折りにし、該第２列区域を上下相互に貼り合わせ、該接着体が露出しないようにする展示立ての製造方法。
【発明の詳細な説明】
【技術分野】
【０００１】
本発明は、展示立てに関し、特に展示立ての製造方法に関する。
【背景技術】
【０００２】
展示装置の製造工程は、往々にして時間を浪費する。展示装置を量産する場合、コストは、更に高くなる。また、展示装置は、製造が完成しても、特定物品を展示できるだけであり、幅広く使用することができない。
【特許文献１】特開２００６−２１９１８８号公報
【発明の開示】
【発明が解決しようとする課題】
【０００３】
本発明の目的は、製造が簡易で、幅広く使用できる展示立ての製造方法を提供することである。
【課題を解決するための手段】
【０００４】
本発明は展示立ての製造方法を提供する。まず、シートを提供し、該シートは背面を備え、該背面上下に第１列区域、第２列区域および第３列区域を区分けし、そのうち、該第２列区域は上下対称であり、且つそのうち、該第１列区域および該第３列区域は、それぞれ第１幅および第２幅を有し、該第２幅は、該第１幅よりも大きい。続いて、接着体局部を該シートの該背面上に塗布し、該第２列区域を実質上該接着体で満たし、且つ該第１列区域および該第３列区域上は該接着体がないようにする。次に、該シートを切り、該シートを大きさが実質上同一な複数の紙片に区分けし、各紙片がいずれも第１列区域の一部、第２列区域の一部および第３列区域の一部を有する。続いて、各該紙片を２つ折りにし、上下対象な該第２列区域を上下相互に貼り合わせ、該接着体が露出しないようにする。
【発明の効果】
【０００５】
本発明の方法が製造する展示立ては、卓上カレンダーまたはメモ帳、名刺置き、公告標示、コンピュータ液晶スクリーンの装飾および一体成型できる等の長所を兼ね備え、展示立ての経済的効果を大幅に向上させ、使用範囲を拡大することができる製造方法である。
【発明を実施するための最良の形態】
【０００６】
図１は、本発明が第１好適実施例に基づく展示立ての製造フロー説明図である。図１において、まず、提供ステップ１０２：シートの提供である。
【０００７】
図２は、本発明の第１好適実施例に基づくシートの説明図である。図２おいて、該シート１２が正面および背面１４を有する。該背面１４は、第１列区域２１、第２列区域２２および第３列区域２３に区分けする。そのうち、該第２列区域２２は上下に対称である。また、該第１列区域２１および該第３列区域２３はそれぞれ第１幅３１および第２幅３３を有し、該第２幅３３は該第１幅３１より大きい。
【０００８】
図１および図２において、次に、糊付けステップ１０４では、接着体１０の局部を該シートの該背面１４に塗布し、該第２列区域２２を実質上該接着体１０で満たし、且つ該第１列区域２１および該第３列区域２３上に該接着体１０が無いようにする。「実質上」と説明する原因は、該第２列区域２２は幾つかの小さなブロックに接着体１を塗布しないで残すことができるからである。これらの小さなブロックの詳細およびその効用は、後に説明する。
【０００９】
その次に、押し切りステップ１１２において、該シートを切り、該シートを大きさが実質上同一な複数の紙片４０を区分けする。各紙片４０は、いずれも第１列区域２１の一部、第２列区域２２の一部および第３列区域２３の一部を有する。
【００１０】
次に、２つ折りステップ１２２において、各該紙片４０を２つ折りにし、上下対称な該第２列区域２２を上下相互に貼り合わせ、該接着体１０が露出しないようにする。
【００１１】
押し切りステップ１１２を進行する前に、覆蓋ステップ１０６において、透明な剥離紙５０を該接着体上に覆蓋することができる。剥離紙５０の大きさはシート１２の大きさを同一である。
【００１２】
２つ折りステップ１２２を進行する前に、剥離ステップ１１４で、該剥離紙５０を剥離することができる。
【００１３】
２つ折りステップ１２２を進行した後に、折り返しステップ１２４において、該第３列区域２３を折り返し、該紙片４０の側面に「人」字形を呈するようにする。
【００１４】
折り返しステップ１２４を進行した後に、設置ステップ１２６において、該第１列区域２１または該第３列区域２３に両面接着体を設置することができる。この両面接着体は、それぞれ該第１列区域または該第３区域２３を覆蓋することができる。
【００１５】
本発明の展示立ての製造方法は、更に穴あけステップにおいて、該紙片４０に穴をあけ、卓上カレンダー９６を設置する（図３）ことができる。卓上カレンダー９６以外に、その他の形状の類似したメモ帳等を設置することもできる。
【００１６】
図１左において、本発明の展示立ての製造方法は、機器で提供ステップ１０２、糊付けステップ１０４、押し切りステップ１１２、２つ折りステップ１２２、穴あけステップを行うことができ、更に、卓上カレンダー９６の頁合わせ動作を行うことができる。この時、透明な剥離紙５０を使用しなくともよい。
【００１７】
もう１種の技術試案は、押し切りステップ１１２を進行する前に、糊付けステップ１０４を進行せず、押し切りステップ１１２を進行した後に、貼り付けステップを進行するように変更し、各紙片４０の第２列区域２２に、両面接着体を貼り、後続の２つ折りステップ１２２を進行する時、該第２列区域２２を張り合わせることに用いる。原技術試案と比較して、原技術試案の長所は、糊付けステップ１０４が１回で数個の紙片４０を塗布し効率が良く、経済的である。貼り合わせステップは、各紙片４０に貼り合わせを進行する必要があり、比較的効率的ではない。且つ貼り合わせステップは、後続して提示するブロックへの応用に適合しない。
【００１８】
図２において、各該紙片４０の各部分の該第２列区域２２は、左上角５２、左下角５４、上縁５６および下縁５８を有し、且つそのうち、該第２列区域２２の該左上角５２および該左下角５４にそれぞれ該接着体１０を塗布しない第１ブロック６２および第２ブロック６４を設け、該上縁５６および該下縁５８にそれぞれ該接着体１０を塗布しない第３ブロック６６および第４ブロック６８を設け、且つ各該紙片４０を２つ折りした後、該第１ブロック６２は該第２ブロック６４に対応させ、該第３ブロック６６は該第４ブロック６８に対応させる。該第１ブロック６２および該第３ブロック６６は、それぞれ内側辺７２を有し、且つそのうち、該内側辺７２上に切り込み７６を上に向けて該第１区域まで延伸させて切り、且つそのうち、該切り込み７６は各該内側辺７２の２倍の長さである。
【００１９】
前記第２列区域２２は第３幅３５および長さ３７を有し、且つそのうち、該第３幅３５の半分は名詞の幅に等しく、且つそのうち、該第２列区域２２の該長さ３７は、該名詞の長さより大きいまたは等しい。これらの寸法の設置の目的は、紙片４０の反面（シート１２の正面）に名刺を置かせ、消費者が連絡に使用できるようにする。
【００２０】
図３は、本発明の第１好適実施例に基づく展示立ての説明図である。図３において、該展示立ての側面が「人」字形を呈し、第１列区域２１の末端および第３列区域２３の末端を介して、卓上に接触する方式によって、卓上に良好な支持を形成する。また、該第１ブロック６２および該第３ブロック６６の該内側辺７２上の切り込み７６を介して、該第１ブロック６２および該第３ブロック６６を外に向けて押し出し、直角９０を形成する。この直角９０は展示立ての固定を補助する。
【００２１】
本発明は、展示立ての使用方法を提供する。図３および図２において、本発明の第１列区域２１の第１幅３１は、２ｃｍであることができ、その正面に広告を置くことができる。該展示立て側面は「人」字形を呈し、「人」字下方の挟み角９２を介して、コンピュータ液晶スクリーンの上縁により、前記第３列区域２３をコンピュータ液晶スクリーン上縁フレーム面の使用者向きの面にしっかり貼り付けさせる。この状況において、本発明の第１列区域２１の第１幅３１も１．５ｃｍに短縮でき、コンピュータ液晶スクリーンを遮蔽することを避けることができる。本発明の第１列区域２１の反面に公告標示をプリントすることができる。
【００２２】
また、第２列区域２２は第３幅３５および長さ３７を有し、且つそのうち、該第３幅３５の半分は卓上カレンダー９６の幅に等しく、且つそのうち、該第２列区域２２の該長さ３７は前記卓上カレンダー９６の長さより大きいまたは等しい。第２列区域２２は、卓上カレンダー９６の右側部分２２’で、規則的に１寸から２寸の写真のフィールドを設置することができる。
【００２３】
更に、第１ブロック６２、第２ブロック６４、第３ブロック６６、第４ブロック６８は、いずれも接着体１０を塗布することができなくして、接着体が溢れることを回避する。また、外向きに前記直角９０を押し出す時、接着体１０がない各ブロックは、相互の粘着により敗れる状況が発生することを回避し、欠陥品として認識される機会を減少させる。
【００２４】
図５は、本発明の第２好適実施例に基づく展示立ての説明図である。図４は、本発明の第２好適実施例に基づくシートの説明図である。図５および図４において、展示立ては前記のブロックに設置することができず、第１列区域２１上に弓形の切り込みを入れるように変更する。該弓形の切り込み８０は、半円形の背もたれ８２を押し出し、卓上カレンダー９６（図３）頁面に一部を後方に返す時、支持させることに用いる。このようにして、展示立ての安定固定を補助する。
【００２５】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００２６】
【図１】本発明の第１好適実施例に基づく展示立ての製造方法のフロー説明図である。
【図２】本発明の第１好適実施例に基づくシートの説明図である。
【図３】本発明の第１好適実施例に基づく展示立ての説明図である。
【図４】本発明の第２好適実施例に基づくシートの説明図である。
【図５】本発明の第２好適実施例に基づく展示立ての説明図である。
【符号の説明】
【００２７】
１０２  提供ステップ
１０４  糊付けステップ
１０６  覆蓋ステップ
１１２  押し切りステップ
１１４  剥離ステップ
１２２  折畳みステップ
１２４  折り返しステップ
１２６  貼り付けステップ
１２  シート
１４  背面
２１  第１列区域
２２  第２列区域
２３  第３列区域
３１  第１幅
３３  第２幅
４０  紙片
５０  透明の剥離紙
５２  左上角
５４  左下角
５６  上縁
５８  下縁
６２  第１ブロック
６４  第２ブロック
６６  第３ブロック
６８  第４ブロック
７２  内側辺
７６  切り込み
８０  弓形切跡
８２  背凭れ
９０  直角
９２  挟み角
９６  卓上カレンダー
２２’  右側部分
【図２】
2009005824.tif 000003
【図３】
2009005824.tif 000004
【図５】
2009005824.tif 000005
【図１】
2009005824.tif 000006
【図４】
2009005824.tif 000007